(57)【特許請求の範囲】
【請求項１】
所定角度回転させることにより２種の操作モードの切り替えを行う切替スイッチの回転ノブ（１）であって、
回転軸（１２）を法線方向とする表示面（１４）を有する回転ノブ本体（１０）と、表裏面に異なる表現が施され、かつ、一辺を支軸（２２）として回動する反転板（２０）と、を備え、
該反転板は回転ノブ本体の表示面上において回動可能に軸着され、回転ノブ本体を鉛直面内で鉛直方向を挟む左右に所定角度回転させることで重力の作用により表裏を反転することができるようになっており、
前記反転板にはその先端側を鉛直面から前斜させる傾斜構造が設けられている、ことを特徴とする切替スイッチの操作モード識別機構を備えた回転ノブ。
【請求項２】
前記傾斜構造は、前記反転板（２０）の先端側両面に突起して設けられた重りとなる突起体（２４）である、ことを特徴とする請求項１に記載の切替スイッチの操作モード識別機構を備えた回転ノブ。
【請求項３】
前記回転ノブ本体（１０）の表示面（１４）は、前記反転板（２０）の支軸（２２）付近を境界として異なる色、文字、模様又はこれらの組み合わせが表現されている、ことを特徴とする請求項１又は２に記載の切替スイッチの操作モード識別機構を備えた回転ノブ。
【請求項４】
前記回転ノブ本体（１０）の表示面（１４）は、前記反転板（２０）が表示する色と同色となるように色分けされている、ことを特徴とする請求項３に記載の切替スイッチの操作モード識別機構を備えた回転ノブ。
【請求項５】
前記回転ノブ本体（１０）の表示面（１４）は、前記反転板（２０）の表示と一連して文字情報を表現するようになっている、ことを特徴とする請求項３に記載の切替スイッチの操作モード識別機構を備えた回転ノブ。
【請求項６】
前記反転板（２０）は半円形をなし、円形の前記回転ノブ本体（１０）の表示面上の中央部に軸着されている、ことを特徴とする請求項１乃至５のいずれかに記載の切替スイッチの操作モード識別機構を備えた回転ノブ。
【請求項７】
前記反転板（２０）が複数個並んで配置されている、ことを特徴とする請求項１乃至５のいずれかに記載の切替スイッチの操作モード識別機構を備えた回転ノブ。
【請求項８】
前記回転ノブ本体（１０）には回動する反転板（２０）を覆う透明又は半透明のカバー（１６）が設けられている、ことを特徴とする請求項１乃至７のいずれかに記載の切替スイッチの操作モード識別機構を備えた回転ノブ。
【請求項９】
前記回転ノブ本体（１０）は鉛直上向きから左右にそれぞれ３０°〜１５０°の範囲内で回転する、ことを特徴とする請求項１乃至８のいずれかに記載の切替スイッチの操作モード識別機構を備えた回転ノブ。
【発明の詳細な説明】
【技術分野】
【０００１】
本発明は、所定角度回転させることで、入／切、自動／手動、解除／固定等の２種類の操作モードの切り替え動作を行う切り替えスイッチにおいて、その操作モードの識別を容易かつ確実に行うことを可能とするための切替スイッチの操作モード識別機構を備えた回転ノブに関するものである。
【背景技術】
【０００２】
従来より機械装置の操作盤に設けられ、入／切、自動／手動、解除／固定等の２種類の操作モードを切り替えを行うために手動により回転させる回転ノブを用いた切替スイッチ（菊型スイッチ）が広く用いられている。そして一般的には、切替スイッチが２種類の操作モードのうちどちらのモードになっているかの識別（判別）は、切替スイッチの回転ノブに表した矢印が操作盤の表面に表わした入／切、自動／手動、解除／固定等の操作モードの表示いずれを指しているかを目視することで行っていた。
【０００３】
しかし回転ノブの矢印が操作盤表面の表示のいずれを指しているかを目視により識別しようとする場合、少し遠方からではその識別が困難であったり、また表示が小さく見誤るおそれもあった。
【０００４】
そのため図１１に示した下記特許文献１の操作ノブのように、操作ノブの回転に伴って重力の作用により第１の部材をスライド移動させ、平時第１の部材により覆われている第１の部材と異なる色彩の第２の部材を表出させることで、第２の部材を操作ノブ前方から視認するようにしてその操作モードの識別を容易にした操作ノブなども発案されている。
この操作ノブは単純な構造で電源も必要とせず、広く回転式のスイッチに適用できるといった利点などがある。
【先行技術文献】
【特許文献】
【０００５】
【特許文献１】実用新案登録第３１４３８３３号公報
【発明の概要】
【発明が解決しようとする課題】
【０００６】
しかしながらこの操作ノブは、第１の部材がスライド移動する先のスペースが必要であるため表出する第２の部材の面積が小さく、十分な識別力を発揮するとは必ずしもいえないものであった。また操作スイッチが経年劣化してきた場合などには第１の部材と第２の部材との間の摩擦力が大きくなり第１の部材がスムーズにスライド移動できなくなる虞もあった。
【０００７】
また操作モードの識別の容易化は切替スイッチの戻し忘れなどのヒューマンエラーの発生回避に有用である一方、識別機構の動作には確実性が必須であり一度その確実性が損なわれ目視による識別自体は間違っていなくとも操作モードが正しく認識されないこともあり、かかる操作モードの認識間違えは時として大きな事故に繋がる虞もあった。
【０００８】
本発明は上記問題を解決すべく発案されたものであり、上記先行技術の利点はそのままに、回転式の操作ノブの表示面に広い範囲でその操作モードを視認しやすく表示してその識別力を高め、また、識別機構の確実性を向上させた切替スイッチの操作モード識別機構を備えた回転ノブを提供するものである。
【課題を解決するための手段】
【０００９】
上記問題を解決するため本発明は、所定角度回転させることにより２種の操作モードの切り替えを行う切替スイッチの回転ノブ（１）であって、回転軸（１２）を法線方向とする表示面（１４）を有する回転ノブ本体（１０）と、表裏面に異なる表現が施され、かつ、一辺を支軸（２２）として回動する反転板（２０）と、を備え、該反転板は回転ノブ本体の表示面上において回動可能に軸着され、回転ノブ本体を鉛直面内で鉛直方向を挟む左右に所定角度回転させることで重力の作用により表裏を反転することができるようになっており、前記反転板にはその先端側を鉛直面から前斜させる傾斜構造が設けられている、ことを特徴とする。
【００１０】
ここで、前記傾斜構造は、前記反転板（２０）の先端側両面に突起して設けられた重りとなる突起体（２４）である、ことが好ましい。
【００１１】
また、前記回転ノブ本体（１０）の表示面（１４）は、前記反転板（２０）の支軸（２２）付近を境界として異なる色、文字、模様又はこれらの組み合わせが表現されている、ことが好ましい。
【００１２】
ここで、前記回転ノブ本体（１０）の表示面（１４）は、前記反転板（２０）が表示する色と同色となるように色分けされているか、前記反転板（２０）の表示と一連して文字情報を表現するようになっている、ことがさらに好ましい。
【００１３】
また、前記反転板（２０）は半円形をなし、円形の前記回転ノブ本体（１０）の表示面上の中央部に軸着されている、ことが好ましい。
【００１４】
また、前記反転板（２０）が複数個並んで配置されている、ようにすることもできる。
【００１５】
また、前記回転ノブ本体（１０）には回動する反転板（２０）を覆う透明又は半透明のカバー（１６）が設けられている、ことも好ましい。
【００１６】
なお、前記回転ノブ本体（１０）は鉛直上向きから左右にそれぞれ３０°〜１５０°の範囲内で回転する、ものとする。
【発明の効果】
【００１７】
本発明によれば、表裏面に異なる表現を施した反転板をその一辺を支軸として回転ノブの表示面に反転可能に軸着してやることで、大きな面積で反転板の表裏面の色の違い等によって操作モードの識別を容易化することができる。ここで回転ノブ本体又は反転板自体に反転板を鉛直面から前傾させる傾斜構造を備えてやることで、回転ノブ本体を回転させた際に上側に来た反転板を重力の作用によって確実に反転させて裏返すことを可能とし、その表示を切り替えてやることができる。
【００１８】
ここで、傾斜構造として反転板の先端側両面に突起する突起体を形成し、また、これを重りとしても機能させてやれば、湿気等の影響により回転ノブ本体の表示面に反転板がくっついてしまうことを回避し、また、重力の作用によってより確実に回転板を反転させてやることができる。
【００１９】
また、回転ノブ本体の表示面に、反転板の支軸付近を境界として異なる色に色、文字、模様等を表現し、より好ましくはノブ本体表示面上で反転板が表示する色と同色となるように色分けするか反転板の表示と一連して文字情報を表現するようにすることで、より大きな面積での視認を可能として操作モードの識別をより簡易かつ確実にさせることができる。なおノブ本体表示面上を着色して色分け等する範囲は、回動する反転板が重ね合わさることになる範囲としてやるのが適切である。
【００２０】
また、反転板を半円形とし、円形の回転ノブ本体の表示面上の中央部に軸着してやることで、回転ノブ本体の表示面のほぼ全面においてその表示の切り替えが可能となり、その視認性・識別性をより一層高めることができる。
【００２１】
また、反転板を複数個並んで配置することで、反転の際の反転板の立ち上がり高さを低くしつつ回転ノブ本体の表示面上の広い面積を視認領域とすることができる。なおこの場合、何らかの理由により一の反転板が仮に反転できないことがあったとしても、他の反転板が反転することで、一の反転板の不具合を容易に発見することができる。
【００２２】
また、回転ノブ本体に回動する反転板を覆う透明又は半透明のカバーを設けてやることで、例えば回転ノブの操作に伴い反転板が手に接触してしまうことを回避したり、湿気などの外的環境影響から反転板を保護してやることができる。
【００２３】
なお、回転ノブの回転角を鉛直上向きから左右にそれぞれ３０°〜１５０°の範囲内としてやることで、操作モードの切り替えと同時に重力の作用により反転板を裏返すことができる。
【図面の簡単な説明】
【００２４】
【図１】実施例１の回転ノブの正面図である。
【図２】実施例１の回転ノブの斜視図である。
【図３】図１の回転ノブの断面図である。
【図４】切り替え動作を行う様子を示した図である。
【図５】実施例２の回転ノブの正面図である。
【図６】実施例２の回転ノブの斜視図である。
【図７】図５の回転ノブの断面図である。
【図８】実施例３の回転ノブの正面図である。
【図９】実施例３の回転ノブの斜視図である。
【図１０】図８の回転ノブの断面図である。
【図１１】既存の操作ノブの一例を示した図である。
【発明を実施するための形態】
【００２５】
以下、本発明の実施の形態について図面を参照しながら説明する。
【実施例１】
【００２６】
図１乃至３は、本発明に係る第１の実施例の切替スイッチの操作モード識別機構を備えた回転ノブを示した図であり、図１は正面図、図２は斜視図、図３は図１のＡ−Ａ断面図（Ａ）およびＢ−Ｂ断面図（Ｂ）である。また図４はこの回転ノブを回転させて、切替スイッチの切り替え動作を行う様子を示した図である。
【００２７】
この回転ノブ１は、所定角度回転させることで、入／切、自動／手動、解除／固定等の２種類の操作モードを切り替え動作を行う切り替えスイッチに用いられるもので、据え置かれた機械装置の垂直面（鉛直面）の操作盤に並んで取り付けられて使用されるものである。
そして図で示した切り替えスイッチ１００では、垂直方向上向きから左側（反時計回り）に４５°傾いた位置で「切」、垂直方向上向きから右側（時計回り）に４５°傾いた位置で「入」となるように９０°回転させることで２種の操作モードの切り替えを行うことができるようになっている。
【００２８】
この回転ノブ１は、略円形のハンドル状の回転ノブ本体１０と、半円盤形状の反転板２０とから構成されている。
【００２９】
回転ノブ本体１０は樹脂製で、その正面が表示面１４となる直径が７ｃｍ程度で厚みが１ｃｍ強の円盤型のハンドル部１１と、ハンドル部１１の中心位置で表示面１４の裏側から法線方向に３ｃｍ程度の長さで伸長する回転軸１２とからその外形が形成されている。ハンドル部１１はその周縁部に握りよくするための凹凸が形成されており、また、その表示面１４には直径が６ｃｍ程度で深さが１ｃｍ弱の円形の窪みであるクボミ部１３が形成されている。またこのクボミ部１３の底面近傍の側壁には、反転板２０を取り付けるための取付孔１５が直径の延長線上に対向して形成されている。
回転軸１２にはその軸方向に切り欠きが設けられた深穴１７が形成されており、この深穴１７に操作盤の各種切替スイッチの軸を挿入して回転ノブ本体１０をハンドルとすることで、手動による切替スイッチの切り替え操作を行うことができるようになっている。
またクボミ部１３の底部正面は、対向する取付孔１５を結んだ線を境界としてそれぞれ半円形に色分けされており、一方の半円は緑色、他方の半円は赤色に着色されている。
【００３０】
反転板２０は同じく樹脂製で、直径が６ｃｍ弱の大きさの薄肉の円盤をちょうど半分にした半円形の反転部２１と、反転部２１の弦となる一辺に沿って設けられた丸細棒状の支軸２２とからなり、この支軸２２の先端をハンドル部１１の取付孔１５に遊嵌して反転板２０を取り付けてやることで、反転板２０はハンドル部１１のクボミ部１３内において支軸２２を中心軸として回動することができるようになっている。なおハンドル部１１に取付孔１５を設ける代わりに微小な突起を設け、これを反転部２１に形成した軸受に挿し込むことで反転板２０を回動自在とする構造としてやってもよい。
また反転板２０はその表面が緑色、裏面が赤色に着色されており、表面が表出する場合には回転ノブ本体１０のクボミ部１３の底部の緑色に色分けされた半円と一連して緑色の円を、裏面が表出する場合には回転ノブ本体１０のクボミ部１３の底部の赤色に色分けされた半円と一連して赤色の円を表示するようになっている。
【００３１】
回転ノブ１の操作盤への取り付けは、例えば操作モードが「切」の時には支軸２２が垂直方向上向きから左側に４５°傾いた方向を向き、操作モードが「入」の時には支軸２２が垂直方向上向きから右側に４５°傾いた方向を向くように行われる。このように取り付けることで、操作モードが「切」のときには反転板２０が支軸２２を中心として重力の作用によって左斜め下に倒れるように反転して緑色の円が表示され、また、この状態から時計回りに９０°回転させ操作モードを「入」にすると反転板２０が支軸２２を中心として重力の作用によって右斜め下に倒れるように反転して赤色の円が表示される。操作モードを「入」から「切」に切り替える場合にも反転板２０が反転することは上記と同様である。なお回転ノブ１が回転する範囲は操作モードの切り替えにより反転板２０が反転することができる範囲であればよいため、上記のように垂直方向上向きから左右側にそれぞれ４５°でなくとも、鉛直上向きから左右にそれぞれ３０°〜１５０°の範囲内であればよい。
【００３２】
ここで反転板２０には垂直面の操作盤に回転ノブ１を取り付けた状態で、反転板２０の先端側を鉛直面から前斜させる傾斜構造が設けられている。具体的にはこの傾斜構造は反転板２０の表裏両面に設けられた高さ３ｍｍ程度突起する突起体２４であり、この突起体２４は反転板２０と一体的に形成されている。この突起体２４の先端が回転ノブ１のクボミ部１３の底面と当接することで、反転板２０の先端側を鉛直面から前斜させることができ、操作モードを切り替えるために回転ノブ１を回転させたことに伴って上方に移動した反転板２０を重力の作用に確実に反転させてその表裏の切り替えを行うことができる。ここでこの突起体２４は重しとしても作用するため、重力の作用による反転板２０の反転をより確実に行わせることができる。
なお傾斜構造は上記に限られず、例えば回転ノブ１のクボミ部１３の底面や側面から突起するものであってもよいが、突起を重りとしても機能させることができるため上記の形態とすることが好ましい。もちろん突起とは別に重りを反転板２０の先端側に取り付けてやることも可能である。
【００３３】
切替スイッチの切り替え動作を行う様子を表した図４に示したように、例えば回転ノブ１が「切」の位置にあるときには反転板２０は重力の作用により左下に位置して緑色の表面を表示し、これを「入」の位置まで時計回転させると反転板２０が重力の作用により支軸を中心に裏返るようにして反転し右下に位置して赤色の裏面を表示する。なおこの図には回転ノブ本体の表示面および反転板には組み合わせることでそのスイッチの操作モードを表示する「切」「入」の文字が大きく記載されている。文字を記載することで操作モードの判別が容易になるとともに文字がきちんと表示され斜めになっていないかを判別することで、切替スイッチの切り替えがきちんとなされているか、操作ノブの表示が正しく行われているかが判別しやすくなる。
【００３４】
以上に説明した切替スイッチの操作モード識別機構を備えた回転ノブは、所定角度回転させることで、入／切、自動／手動、解除／固定等の２種類の操作モードを切り替え動作を行う切り替えスイッチにおいて、単純な構造で電源も必要とせず、広く回転式のスイッチに適用することができ、表示領域を拡大することで目視による視認性を高め操作モードの識別が容易かつ確実に行うことができるようになるといった効果がある。
【実施例２】
【００３５】
図５乃至７は、本発明に係る第２の実施例の切替スイッチの操作モード識別機構を備えた回転ノブ１を示した図であり、図５は正面図、図６は斜視図、図７は図５のＡ−Ａ断面図（Ａ）およびＢ−Ｂ断面図（Ｂ）である。なお実施例１と共通する構造については同様の符号を付すことで重複した説明は省略する。
【００３６】
図に示したように、この回転ノブ本体１０は実施例１のものよりも厚みがあり、そこに形成されるクボミ部１３の深さも３ｃｍ程度となっている。そしてこのクボミ部１３を覆うように板状の透明なカバー１６が取り付けられている。すなわち反転板２０はクボミ部１３内において反転してその表示を切り替えることができる。そしてこのカバー１６により、例えば回転ノブ１の操作時に反転板２０が手に接触してしまうことを回避したり、湿気などの外的環境影響から反転板２０を保護してやることができる。
なおクボミ部１３を深くして板状のカバー１６を取り付ける代わりに、ドーム状の透明カバーによって反転板２０を回動可能な状態で覆ってやることも勿論可能である。またこの透明板に例えば切替スイッチの種別番号などを、表示面１４の視認性を低下させない大きさで記載してやることなどもできる。
【実施例３】
【００３７】
図８乃至１０は、本発明に係る第３の実施例の切替スイッチの操作モード識別機構を備えた回転ノブ１を示した図であり、図８は正面図、図９は斜視図、図１０は図８のＡ−Ａ断面図（Ａ）およびＢ−Ｂ断面図（Ｂ）である。なお実施例１や実施例２と共通する構造については同様の符号を付すことで重複した説明は省略する。
【００３８】
本実施例の回転ノブ１は、実施例２の回転ノブではその厚みが厚くならざるを得なかったところこれを解決するもので、長短５枚の短冊状の反転板２０（２０ａ，２０ｂ，２０ｃ）を用い、５枚の反転板２０の表裏面の色と色分けされた回転ノブ本体１０のクボミ部１３の底部の色とが全体として同色の略円形の表示をなすようになっている。
【００３９】
詳細には短冊状の各反転板２０はその幅が５ｍｍ程度で、長さが６ｃｍのもの（２０ａ）が１枚、５ｃｍのもの（２０ｂ）が２枚、３ｃｍのもの（２０ｃ）が２枚あり、上記と同様にその表裏面は異なる色に着色されており、同じ側の一辺（長辺）に沿って支軸２２が設けられている。また回転ノブ本体１０の表示面１４には直径が６ｃｍ強、深さが１ｃｍ弱のクボミ部１３が形成され、その底面は幅が５ｍｍ程度のストライプ状に緑色と赤色に色分けされている。そしてクボミ部１３の底面近傍の側壁には、各ストライプの境界の延長線上に反転板２０を取り付けるための取付孔１５が対向して設けられている。この取付孔１５にそれぞれ反転板２０を図のように取り付けてやることで、各反転板２０の表面の色と回転ノブ本体１０底面のストライプの一色とが同色となりこれらが一連して円を表示するようになっている。
【００４０】
またこの回転ノブ本体１０には、上記実施例２と同様にそしてクボミ部１３を覆うように板状の透明なカバー１６が取り付けられている。
【００４１】
本実施例の回転ノブ１によれば、幅を短くした反転板２０を複数枚用いることで、反転の際の反転板２０の立ち上がり高さを低くして回転ノブ１の厚みができるだけ厚くならないようにするとともに、回転ノブ本体１０の表示面１４上の広い面積を視認領域とすることができる。
【００４２】
なおこの実施例では短冊状の反転板を用いたが、例えば回転ノブ本体の表示面に複数の小さな円形のクボミ部を密な状態で並べて形成し、ここに実施例１と同様の構造で小径化した多数の半円形の反転板を取り付けてやることで、水玉模様状に表示面の色を切り替えるような構成としてやってもよい。またクボミ部や反転板を多角形としてやることなども勿論可能である。
【００４３】
なお本発明の切替スイッチの操作モード識別機構を備えた回転ノブは上記実施例の形状や大きさに限定されず、本発明の趣旨を逸脱しない範囲で種々改変できることは勿論である。例えば反転板の形状や大きさを変更したり、回転オブ本体底面と反転板とが同一の色で一連して同色の円を表示するだけでなく、一連することで「切」「入」等の文字を表すようにしてやってもよい。
【産業上の利用可能性】
【００４４】
本発明は機械装置の操作盤の回転ノブに限らず、垂直面内において所定角度で回転させることで切り替え操作等を行うものであれば、種々のタイプの回転ノブに利用することができる。
【符号の説明】
【００４５】
１  回転ノブ
１０  回転ノブ本体
１１  ハンドル部
１２  回転軸
１３  クボミ部
１４  表示面
１５  取付孔
１６  カバー
１７  深穴
２０  反転板
２１  反転部
２２  支軸
２４  突起体
１００  切り替えスイッチ
【図１】
0005349548.tif 000002
【図２】
0005349548.tif 000003
【図３】
0005349548.tif 000004
【図４】
0005349548.tif 000005
【図５】
0005349548.tif 000006
【図６】
0005349548.tif 000007
【図７】
0005349548.tif 000008
【図８】
0005349548.tif 000009
【図９】
0005349548.tif 000010
【図１０】
0005349548.tif 000011
【図１１】
0005349548.tif 000012